(57)【要約】【課題】カートリッジを簡単に取り出す。【解決手段】カートリッジ室２３の背面又は底面を含む範囲を覆う後カバー１５は易引裂性の高いプラスチック材料で形成されており、裏面にはタブ３２が形成されている。タブ３２を矢印方向に引けば、後カバー１５のうちのカートリッジ室２３の背面又は底面のみを覆う一部１５ａが後カバー１５から引き裂かれ、カートリッジ室２３が露呈する。タブ３２から一部１５ａの境界に引裂を誘導するための薄肉部を設けている。【選択図】　　　　図５
2004117924.tif 000002
【特許請求の範囲】
【請求項１】
予めカートリッジが収納されるカートリッジ室と、そのカートリッジから引き出した未露光の写真フイルムが収納されるフイルム室とを備えた本体基部を複数の外カバーで覆ったレンズ付きフイルムユニットにおいて、
前記外カバーのうちのカートリッジ室の背面又は底面を含む範囲を覆うカバーを易引裂性の高いプラスチック材料で形成するとともに、前記カバーの外面にタブを一体に形成し、このタブを引くことで前記外カバーからカートリッジ室の背面又は底面を覆う一部を引き剥がすようにしたことを特徴とするレンズ付きフイルムユニット。
【請求項２】
前記タブの根元から前記カバーに対して前記一部を除いた残りの部分と前記一部との間の境界に引裂を誘導するために厚みを薄くした薄肉部を設けたことを特徴とする請求項１記載のレンズ付きフイルムユニット。
【請求項３】
前記タブの近傍にタブを引く方向を示すマークを設けたことを特徴とする請求項１又は２記載のレンズ付きフイルムユニット。
【発明の詳細な説明】
【０００１】
【発明の属する利用分野】
本発明は、撮影機構を備えたユニット本体に予め写真フイルムを装填したレンズ付きフイルムユニットに関するものである。
【０００２】
【従来の技術】
通常のカメラを所持しなくても手軽に写真撮影を楽しむことができるように、本出願人からレンズ付きフイルムユニット（以下、単にフイルムユニットという）が市販されている。フイルムユニットは、簡単な撮影機構を備えたユニット本体に、予めカートリッジ付き写真フイルムを内蔵させたもので、撮影毎に行われるフイルム巻き上げ操作により露光済みの写真フイルムをカートリッジに巻き込み、撮影し終わった後には全ての写真フイルムがカートリッジの内部に収納された状態となる。このカートリッジは、底面に設けられたプルトップ式の蓋を開けることで取り出すことができる。蓋は、現像所で開放される（特許文献１）。
【０００３】
【特許文献１】
特開平６−２５０３３７号公報
【０００４】
【発明が解決しようとする課題】
この開放作業は、特許文献１などに提案されているように、蓋の開放側先端がユニット本体との間で係止爪によって結合されているため、困難極まる作業となっていた。
【０００５】
また、ユニット本体との間の隙間にドライバーを突っ込んで蓋を開けるようにすると、例えばドライバーの先端を奥に突っ込み過ぎて、再利用できる内部部品にまで損傷並びに破損を生じさせる結果となり、レンズ付きフイルムユニットのリサイクル効率が低下する間題点があった。
【０００６】
さらに、単に蓋を開けただけでは、カートリッジを容易には取り出せないのである。というのは、カートリッジ収納室の内部ではスプールに巻き上げノブのフォークが係合しているためである。そこで、現像所では、フォークとスプールとの係合を解除するために、フイルムユニットをスプール軸方向に沿って振ってカートリッジを取り出している。このとき、カートリッジが勢いよく飛ぴ出してしまい、カートリッジの破損等の不都合が生じる恐れがある。
【０００７】
本発明は上記事情を考慮して鑑みなされたもので、現像所でのカートリッジの取り出し作業を簡便にしたレンズ付きフイルムユニットを提供することを目的とする。
【０００８】
【課麺を解決するための手段】
上記目的を達成するために本発明のレンズ付きフイルムユニットでは、カートリッジ室の背面又は底面を含む範囲を覆うカバーを易引裂性の高いプラスチック材料で形成するとともに、前記カバーの外面にタブを一体に形成し、このタブを引くことで前記カバーからカートリッジ室の背面又は底面を覆う一部を引き剥がすようにしたものである。このようにすれば、カートリッジの取り出しが容易となる。また、タブの根元から前記カバーに対して一部を除いた残りの部分と一部との間の境界に厚みを薄くした薄肉部を設けると、易開封性が高まる。さらに、タブの近傍にタブを引く方向を示すマークを設けるのが好適である。これらタブ及びマークは、カートリッジを取り出すときしか使用しないから、通常は外ケースや化粧箱などで隠しておくのが望ましい。
【０００９】
【発明の実施の形態】
レンズ付きフイルムユニット２は、図１及び図２に示すように、撮影機構を備えたユニット本体３と、これを収納する外ケース４とから構成されており、この外ケース４を付けたままで写真撮影が行われる。外ケース４は、フイルムユニット２の外観を奇麗にするためのものであり、外面に印刷を施した紙箱又はプラスチックシート等が用いられる。この外ケース４からは、撮影レンズ５、ファインダー窓６、レリーズボタン７、撮影枚数表示窓８、及び巻き上げノブ９などが露呈している。
【００１０】
図３及び図４に示すように、ユニット本体３は、写真フイルムカートリッジ１３、前カバー１４、後カバー１５、及び本体基部１６とで構成されている。本体基部１６には、撮影レンズ５、フイルムカウンタ機構１７、シャッタ機構１８、フイルム巻止め機構１９、及びシャッタチャージ機構２０等の露光付与機構が組み込まれる。前カバー１４は、前面、平面、及び左右側面の一部を覆うように本体基部１６の前に取り付けられ、前記露光付与機構などを覆う。
【００１１】
本体基部１６の背面には、アパーチャー２２を挟んだ両側にカートリッジ室２３とフイルム室２４とがそれぞれ一体に形成されている。カートリッジ室２３にはカートリッジ２５が、また、フイルム室２４にはカートリッジ２５から引き出した未露光の写真フイルム２６をロール状態に巻回したフイルムロール２７がそれぞれ収納され、これら両室２３，２４の間のフイルム通路にカートリッジ２５とフイルムロール２７との間のフイルム展延部２８が配される。カートリッジ２５は、スプールが巻き上げノブ９の軸に係合した状態でカートリッジ室２３に収納されている。
【００１２】
カートリッジ室２３及びフイルム室２４との背面及び底面は開口されており、後カバー１５の一部によって塞がれる。この後カバー１５には、フイルム展延部２８を背後から支持するフイルム支持部３０が一体に形成されている。フイルム支持部３０は、像面湾曲を補正するために撮影光軸上を中心とする円弧状となっている。
【００１３】
後カバー１５は、易引裂性の良いプラスチック材料で形成されており、易開封性を高めるために背面には、一段凹んだ面にタブ３２が一体に形成されている。タブ３２の周辺には、タブ３２を引く方向を示すマーク３３が表示されている。そして、タブ３２を引くと、鋏やペンチなどの道具なしで、図５に示すように、カートリッジ室２３の背面及び底面を含む後カバー１５の一部１５ａを開封することができる。これらタブ３２やマーク３３は、外ケース４に隠されている。
【００１４】
後カバー１５を形成するプラスチック材料としては、引裂強度が低い例えば、ポリプロピレンやポリエチレンなどの材料が好適である。また、フイルム被りを防止するために、遮光性の高い色で形成することが必要である。さらに、タブ３２を引いたときに前記一部１５ａとの境界１５ｂに沿って引き裂かれるように、また、フイルム支持部３０も引く裂くことができるように、前記境界１５ｂに沿って厚みを薄くした切れ目などを形成して手切れ性や直線カット性を高めることが必要である。そして、他に必要な性能としては、帯電防止性や耐候性を高める添加剤などを用いる工夫が必要である。
【００１５】
上記構成の作用を説明する。レンズ付きフイルムユニット２は、工場で予め写真フイルムカートリッジ１３を装填し、ユニット本体３を外ケース４で覆った状態で提供される。したがって、後カバー１５の表面に形成したタブ３２やマーク３３は隠されている。
【００１６】
撮影をする前には、巻き上げノブ９をフイルム巻き上げ方向に回転操作しておく。この操作は、フイルム巻き止めがかかるまで行う。これにより、フイルムロール２７からカートリッジ２５に向けて未露光の写真フイルム２６が移送されて最初の撮影コマがアパーチャー２２にセットされる。そして、この間のフイルム移送に連動してシャッタチャージ機構２０のチャージがなされる。
【００１７】
撮影は、レリーズボタン７を押下操作する。この操作に連動してシャッタ機構が作動して撮影コマに露光が行われる。このようにしてフイルム巻き上げとシャッタレリーズとを繰り返して撮影を行う。最後の撮影コマに対して撮影を行った後には、フイルムカウンタ機構１７の枚数表示板が残りの撮影枚数がない旨の表示位置に回転する。この回転によりフイルム巻止め機構１９の作動が阻止され、その後のフイルム巻き上げ操作により全ての写真フイルム２６がカートリッジ２５に収納される。
【００１８】
使用済みのレンズ付きフイルムユニット２は現像所に提出される。現像所では、外ケース４を破いてユニット本体３を取り出す。そして、ユニット本体３の裏面に設けたタブ３２をマーク３３の示す方向に沿って引く。これにより、タブ３２の根元から境界１５ｂに沿って後カバー１５の一部１５ａが引き剥がされる。これにより、カートリッジ室２３及びカートリッジ２５が露呈される。その後はカートリッジ２５をカートリッジ室２３から取り出せばよい。この取り出しは、図５に矢印で示したように、巻き上げノブ９の軸がスプールに軸方向で係合しているから、スプール軸方向に沿って底面から抜くのが容易である。なお、カートリッジ２５のうちの後カバー１５の底面側を上に持ち上げることで背面から抜くこともできる。取り出したカートリッジ２５から撮影済みの写真フイルム２６を引き出し、その写真フイルム２６を現像及びプリント処理する。
【００１９】
このように後カバー１５の一部１５ａをタブ３２と一緒に引裂して撮影済の写真フイルムを収納したカートリッジを取り出す構成にしたから、新たな未露光写真フイルムを装填して再び提供する不正なフイルム詰め替えも防止することもできる。また、道具を必要としないから、リサイクルされる内部部品を壊すこともない。
【００２０】
上記実施形態では、タブ３２を後カバー１５の背面に設けているが、底面に設けてもよい。また、カートリッジ室２３の背面及び底面との両方を開口しているが、背面のみでもよいし底面のみでもよい。さらに、引き裂くカバーの一部１５ａは後カバー１５の一部に限定する必要はなく、外カバーを構成するカバーでありかつカートリッジ室２３の背面又は底面の一部を覆うカバーであればいずれのカバーでもよい。また、タブを設けるカバーとしては、一つに限らず、外カバーを構成する複数のカバーとしてもよい。さらに、引裂方向としては、薄肉部を設けることで横方向（水平方向）や縦方向（垂直方向）に限らずあらゆる方向にすることができる。
【００２１】
また、上記実施形態では、後カバー１５を易引裂性の高いプラスチック材料で形成してその一部を引裂しているが、カートリッジ室の背面又は底面を覆うカバーをイージーピールフイルムとして易開封性を高めてもよい。イージーピールフイルムとしては、遮光性の有するフイルムシートとし、写真フイルムカートリッジを装填後に、カートリッジ室の背面又は底面にシール材でシールされる。これによれば、現像所で外ケース４を取り除けばイージーピールフイルムが露呈するから、タブをもってこのイージーピールフイルムを剥離することでカートリッジを簡単に取り出すことができる。
【００２２】
【発明の効果】
以上詳細に説明したように、本発明のレンズ付きフイルムユニットでは、カートリッジ室の背面又は底面を含む範囲を覆うカバーを易引裂性の高いプラスチック材料で形成するとともに、前記カバーの外面にタブを一体に形成し、このタブを引くことで前記カバーからカートリッジ室の背面又は底面を覆う一部を引き剥がすようにしたから、カートリッジの取り出しを簡便に行うことができる。また、引裂を誘導するためにタブの根元から前記カバーに対して一部を除いた残りの部分と一部との間の境界に厚みを薄くした薄肉部を設けると易開封性が向上する。また、タブの近傍にタブを引く方向を示すマークを設けることで開封の失敗を未然に防止することができる。
【図面の簡単な説明】
【図１】レンズ付きフイルムユニットの外観を示す斜視図である。
【図２】外ケースとユニット本体とを示す分解斜視図である。
【図３】前カバーと本体基部とを示す分解斜視図である。
【図４】本体基部、写真フイルムカートリッジ、及び後カバーとを示す分解斜視図である。
【図５】後カバーの一部を引裂した状態を示す斜視図である。
【符号の説明】
２　レンズ付きフイルムユニット
３　ユニット本体
４　外ケース
１５　後カバー
１５ａ　後カバーの一部
２３　カートリッジ室
２５　カートリッジ
【図１】
2004117924.tif 000003
【図２】
2004117924.tif 000004
【図３】
2004117924.tif 000005
【図４】
2004117924.tif 000006
【図５】
2004117924.tif 000007